(57)【要約】【課題】  通信先が増えたとしても、メイン基板とサブ基板の配線数の増加を最小限に抑え、メイン基板とサブ基板間をシリアル通信で接続する画像形成装置を提供する。【解決手段】  夫々が独立に動作する複数の機能ブロックを備えるメイン基板と、機能ブロック毎に制御されると共にメイン基板の外に配置されシリアル通信で接続されるサブ基板と、メイン基板に配置され、機能ブロック毎の出力信号を入力するバス決定回路とを備えた画像形成装置である。そして、バス決定回路は各機能ブロックからの信号に基づいて接続されている機能ブロックの内から一つの機能ブロックを選択し、機能ブロックからの出力信号に基づいてクロック信号とデータ出力信号をサブ基板に出力する。機能ブロックは機能ブロックが制御するサブ基板へチップセレクト信号を出力し、チップセレクト信号によってサブ基板の動作が許可され、サブ基板から機能ブロックへデータ信号が出力される。【選択図】  図１
2012000951.tif 000002
【特許請求の範囲】
【請求項１】
記録媒体に画像を記録する画像形成装置において、
夫々が独立に動作する複数の機能ブロックを備えるメイン基板と、
前記機能ブロック毎に制御されると共に前記メイン基板の外に配置されシリアル通信で接続されるサブ基板と、
前記メイン基板に配置され、前記機能ブロック毎の出力信号を入力するバス決定回路と、
を有し、
前記バス決定回路は前記機能ブロックからの信号に基づいて接続されている前記機能ブロックの内から一つの前記機能ブロックを選択し、該機能ブロックからの出力信号に基づいてクロック信号とデータ出力信号を前記サブ基板に出力し、
前記機能ブロックは該機能ブロックが制御する前記サブ基板へチップセレクト信号を出力し、該チップセレクト信号によって前記サブ基板の動作が許可され、前記サブ基板から前記機能ブロックへデータ信号が出力されることを特徴とする画像形成装置。
【発明の詳細な説明】
【技術分野】
【０００１】
本発明は、記録媒体に画像を記録する画像形成装置に関する。
【背景技術】
【０００２】
従来から、ホストコンピュータから受信した画像データを記録媒体に記録する画像形成装置が広く知られている。画像形成装置は、複数種類の記録媒体を格納し、そこから記録媒体を選択して搬送する。このような装置の搬送手段は各種アクチュエータによって動作し、また記録媒体の検出、温度検出などの多種のセンサが使用されている。画像形成装置では、いたるところに、センサやアクチュエータが使用されている。これらのアクチュエータやセンサなどを個々に制御する必要がある。このため、画像形成装置の制御手段の規模は大きくなり、またアクチュエータやセンサの駆動回路と通信する為の通信線も多数必要となる。
【０００３】
例えば、特開２００４−１１２４１０号公報の従来の画像形成装置では、多機能化する画像形成装置の機能ブロック毎に基板を設け、その機能ブロック毎の基板とメイン基板間をシリアル通信で接続している。これにより、パラレル方式の場合に必須であったデータの同期をとる必要がなくなり、コントローラを構成するＣＰＵのクロックの向上に合わせて、画像形成に関わる機能部分の処理を高速化すること、配線をシンプルにすることなどができるというものである。
【先行技術文献】
【特許文献】
【０００４】
【特許文献１】特開２００４−１１２４１０号公報
【発明の概要】
【発明が解決しようとする課題】
【０００５】
しかしながら従来技術では、メイン基板上のＩ／Ｏブリッジ部から各機能ブロックを構成する基板に対してそれぞれシリアル通信線を配線するものである。そのため、各機能ブロックが増えれば増えるほど配線が増え、またメイン基板上にあるＩ／Ｏブリッジ部の通信端子等の構成部品が増大してしまうという問題がある。特にメイン基板上に独立に動作する複数の機能ブロックがあり、その機能ブロック毎にサブ基板と通信する場合は問題が顕著となる。
【０００６】
本発明は、通信先が増えたとしても、メイン基板とサブ基板の配線数の増加を最小限に抑え、メイン基板とサブ基板間をシリアル通信で接続する画像形成装置を提供する。
【課題を解決するための手段】
【０００７】
本発明の画像形成装置は、記録媒体に画像を記録する画像形成装置において、夫々が独立に動作する複数の機能ブロックを備えるメイン基板と、前記機能ブロック毎に制御されると共に前記メイン基板の外に配置されシリアル通信で接続されるサブ基板と、前記メイン基板に配置され、前記機能ブロック毎の出力信号を入力するバス決定回路と、を有し、前記バス決定回路は前記機能ブロックからの信号に基づいて接続されている前記機能ブロックの内から一つの前記機能ブロックを選択し、該機能ブロックからの出力信号に基づいてクロック信号とデータ出力信号を前記サブ基板に出力し、前記機能ブロックは該機能ブロックが制御する前記サブ基板へチップセレクト信号を出力し、該チップセレクト信号によって前記サブ基板の動作が許可され、前記サブ基板から前記機能ブロックへデータ信号が出力されることを特徴とする。
【発明の効果】
【０００８】
本願発明によれば、画像形成装置の機能ブロックが増え、それに伴い通信するサブ基板が増えても、容易に全てのサブ基板とメイン基板とをシリアル通信で接続できる。
【図面の簡単な説明】
【０００９】
【図１】図１は、シリアル通信手段の構成を示すブロック図である。
【図２】図２は、画像形成装置の構成を示す概略図である。
【発明を実施するための形態】
【００１０】
図面を用いて、本発明の実施形態を説明する。
まず、画像形成装置の構成を説明する。図２は、画像形成装置の構成を示す概略図である。画像形成装置９は、ロール紙１０、１１、短票紙１２を選択して搬送する。これらの用紙は、搬送ローラ１３等の搬送手段によって搬送される。搬送された記録媒体１４は、感光ドラム１５からトナーが転写される。転写器１６による静電気で記録媒体１４上に感光ドラム１５に着ているトナーが付着する。記録媒体１４に付着したトナーは、高温の加熱ローラ１７と加圧ローラ１８に挟まれ、熱と圧力で記録媒体１４に定着する。その後排紙ローラ１９によって装置外部に排出される。加熱ローラ１７にはヒータが備えられている。
【００１１】
光ヘッド２０は、感光ドラム１５に対して外部のホストコンピュータから受信した画像データに基づいて光を照射し、表面の帯電状態を変える装置である。現像器２１は感光ドラム１５の表面の帯電状態に応じてトナーを付着させる装置である。感光ドラム１５から記録媒体１４にトナーが転写されるが、感光ドラム１５には転写されずに残る微量のトナーがある。クリーナー２２はそのトナーを清掃する装置である。除電器２３は感光ドラム１５の表面を除電する除電手段である。除電器２３によって感光ドラム１５の表面は一様に除電される。帯電器２４は除電された感光ドラム１５の表面を一様に帯電させる帯電手段である。このように、画像形成装置９は、画像データに基づいた画像を各種の記録媒体１４に記録する。記録媒体１４は、紙、扁平なプラスチックフィルムなどである。
【００１２】
図１は、シリアル通信手段の構成を示すブロック図である。メイン基板１は画像形成装置９の全体を制御する制御手段である。図示はしていないが、ＣＰＵ、ＲＯＭ、ＲＡＭを搭載し、ＣＰＵはＲＡＭをワークエリア、データの一時的な記憶に使用し、ＲＯＭに記憶されたプログラムに従って動作する。メイン基板１は第１制御回路２、第２制御回路３、第３制御回路４など、独立に動作する制御回路を複数備え、ＣＰＵが全体の動作を司る。
【００１３】
第１制御回路２、第２制御回路３、第３制御回路４の各制御回路は、メイン基板１の外に制御対象としサブ基板を備える。第１制御回路２は第１サブ基板６を制御する。第２制御回路３は第２サブ基板７を制御する。第３制御回路４は第３サブ基板８を制御する。メイン基板１上の機能ブロックである第１制御回路２、第２制御回路３、第３制御回路４は夫々の制御対象であるサブ基板とシリアル通信で接続している。
【００１４】
メイン基板１はバス決定回路５を備えている。第１制御回路２のデータ信号ＤＯ、通信のクロック信号ＳＣＬＫ、バスリクエスト信号ＢＵＳ−ＲＥＱ、バス許可信号ＢＵＳ−ＡＣＫの各信号はバス決定回路５と接続されている。第２制御回路３のデータ信号ＤＯ、通信のクロック信号ＳＣＬＫ、バスリクエスト信号ＢＵＳ−ＲＥＱ、バス許可信号ＢＵＳ−ＡＣＫの各信号はバス決定回路５と接続されている。第３制御回路４のデータ信号ＤＯ、通信のクロック信号ＳＣＬＫ、バスリクエスト信号ＢＵＳ−ＲＥＱ、バス許可信号ＢＵＳ−ＡＣＫの各信号はバス決定回路５と接続されている。各制御回路とバス決定回路５の結線は全てパラレルに接続されている。
【００１５】
バス決定回路５は各制御回路のバスリクエスト信号ＢＵＳ−ＲＥＱに基づいて、バスを占有する制御回路を決める。占有を許された制御回路に対してバス許可信号ＢＵＳ−ＡＣＫによって伝える。バス決定回路５は、各サブ基板に対して占有を許可した制御回路からのデータ信号と、クロック信号を出力する。同時に、占有を許可された制御回路から、制御先のサブ基板に対してチップセレクト信号ＣＳによって、動作開始を許可する。バス決定回路５は、独立して動作する複数の制御回路の出力信号から何れか一つの制御回路の出力信号を選択して、出力する。
【００１６】
メイン基板１からデータの出力信号と、クロック信号と、データ入力信号とを共通にし、各サブ基板に対するチップセレクト信号を個別に接続する。メイン基板１のバス決定回路５を拡張することで、独立に動作する制御回路が増えたとしても、チップセレクト信号を１本増やすだけで、メイン基板１の外部のサブ基板とシリアル通信が可能となる。配線数の増加を抑え、サブ基板の接続が可能となる。
【産業上の利用可能性】
【００１７】
本発明は、アクチュエータ、センサ等を制御し、記録媒体に画像を記録する画像形成装置に利用できる。
【符号の説明】
【００１８】
１  メイン基板
２  第１制御回路
３  第２制御回路
４  第３制御回路
５  バス決定回路
６  第１サブ基板
７  第２サブ基板
８  第３サブ基板
１３  搬送ローラ
１４  記録媒体
１５  感光ドラム
２０  光ヘッド
１７  加熱ローラ
１８  加圧ローラ
【図１】
2012000951.tif 000003
【図２】
2012000951.tif 000004